(57)【要約】【課題】防水層から簡単に剥離できしかも原状復旧が容易で堅固な防水層保護構造を提供し、防水層の点検、補修工事等を極めて容易にする一方、屋根面における遮音、遮熱効果のある保護層を簡単な施工作業で構築する。【解決手段】端縁タイルと汎用タイルの組み合わせからなり防水層上に着脱自在手段ならびに緩衝手段を介して取り付けられるタイル盤と、タイルを係止する桟木と、前記タイル盤と防水層との間に形成される通水路とを具え、前記端縁タイルの一端部は断面円弧状に形成され、対向する他端部はその上縁に形成した切欠き部を有し、前記汎用タイルの対向する一対の端部の一方の上縁には切欠き部に係合する突出部を形成するとともに、他方端の上縁には切欠き部を設け、各タイルにおける切欠き部と突出部の接合を着脱自在手段ならびに緩衝手段を介してなすようにした防水層保護構造を実現して、前記課題を解決する。【選択図】  図１
2007120192.tif 000002
【特許請求の範囲】
【請求項１】
防水層の表面にタイルを敷設してなる防水層保護構造であって、端縁部を構成する端縁タイルと汎用タイルの組み合わせからなり防水層上に着脱自在手段ならびに緩衝手段を介して取り付けられるタイル盤と、防水層上に固定されてタイルを係止する桟木と、前記タイル盤と防水層との間に形成される通水路とを具え、方形状に形成される前記端縁タイルの一端部は断面円弧状に形成するとともにこれに対向する他端部には他のタイルとの係合部を形成し、この係合部は端部の上縁に形成した切欠き部で構成し、同じく方形状に形成される前記汎用タイルの対向する一対の端部の一方の上縁には端縁タイルの前記切欠き部及びまたは後述の汎用タイルの切欠き部に係合する突出部を形成するとともに、他方端の上縁には切欠き部を設け、各タイルにおける切欠き部と突出部の接合を着脱自在手段ならびに緩衝手段を介してなすようにしたことを特徴とする防水層保護構造。
【請求項２】
請求項１記載の防水層保護構造において、前記通水路は前記各タイルの裏面に形成した凹陥部と防水層表面とで構成したしたことを特徴とする防水層保護構造。
【請求項３】
請求項１又は２記載の防水層保護構造において、前記着脱自在手段ならびに緩衝手段は、弾性接着剤であることを特徴とする防水層保護構造。
【発明の詳細な説明】
【技術分野】
【０００１】
本願発明は、建造物の屋上その他の屋根部における防水層の保護構造に関するものである。
【背景技術】
【０００２】
屋根面に設ける防水層を、風による飛散や自然劣化等から保護するためあるいは遮音、遮熱を目的とした保護層として、従来例えばコンクリートあるいはモルタル層等を防水層上に形成することが一般的である。
なお、本願発明に関連する文献として以下のものが存在する。
【特許文献１】特開２００４−０６６７７８号公報
【特許文献２】特開２００３−０４１７１７号公報
【特許文献３】特開２００１−０９８６３９号公報
【特許文献４】特開２００３−０４１７１７号公報
【特許文献５】特開平０７−１０２７０２号公報
【特許文献２】特開平１０−３３１３４７号公報
【発明の開示】
【発明が解決しようとする課題】
【０００３】
しかしながら、防水層上の保護層あるいは押さえ層としてコンクリート層もしくはモルタル層を防水層上に形成する上記従来の技術では、日常の保守管理に際して防水層の点検をなす必要が生じてもコンクリート層等の存在により簡単には為し得ず、保護層の撤去を要する場合が少なくない。  また、防水層の補修にあたってもコンクリート層もしくはモルタル層の撤去を要する。従来このような撤去を嫌い、防水層の補修は古い防水層を放棄して、新規な防水層を保護層上に重設するというような無駄な工事がなされており、資源の浪費のみならず、下地への負担が増加するという不都合もあった。
【０００４】
さらに、コンクリート層もしくはモルタル層の形成は、防水層の工事にあたる技能者とは別の分野の技能者を必要とし、工事の進捗が円滑にすすまないことも多く、さらには別個の技能者を要することから施工コストの増大という問題もあった。
【課題を解決するための手段】
【０００５】
本願発明は、防水層の表面にタイルを敷設してなる防水層保護構造を、端縁部を構成する端縁タイルと汎用タイルの組み合わせからなり防水層上に着脱自在手段ならびに緩衝手段を介して取り付けられるタイル盤と、防水層上に固定されてタイルを係止する桟木と、前記タイル盤と防水層との間に形成される通水路とを具え、方形状に形成される前記端縁タイルの一端部は断面円弧状に形成するとともにこれに対向する他端部には他のタイルとの係合部を形成し、この係合部は端部の上縁に形成した切欠き部で構成し、同じく方形状に形成される前記汎用タイルの対向する一対の端部の一方の上縁には端縁タイルの前記切欠き部及びまたは後述の汎用タイルの切欠き部に係合する突出部を形成するとともに、他方端の上縁には切欠き部を設け、各タイルにおける切欠き部と突出部の接合を着脱自在手段ならびに緩衝手段を介してなすように構成して、上記従来の課題を解決しようとするものである。
【０００６】
また、上記の防水層保護構造において、前記通水路は前記各タイルの裏面に形成した凹陥部と防水層表面とで構成することがある。
【０００７】
さらに、上記いずれかの防水層保護構造において、前記着脱自在手段ならびに緩衝手段は、弾性接着剤で構成することがある。
【発明の効果】
【０００８】
本願発明に係る防水層保護構造は、上述の構成により、日常の保守管理に際して簡単にタイルを剥離できるから防水層の点検が極めて容易であり、剥離したタイルの貼り付けも着脱自在手段により容易に復旧できる。  また、防水層の補修にあたっても、タイル盤の撤去は単にタイルを剥離すればよいからコンクリート層もしくはモルタル層の破壊撤去は不要であり、したがって、従来のように古い防水層および保護層の上に新規な防水層を重ねて構築するというような無駄な工事が不必要であり下地への負担の増加その他の不都合も解消される。  さらに、本願発明にあっては、屋根面における遮音、遮熱効果のある保護層を簡単な施工作業で実現できる。
【０００９】
【実施例】
【００１０】
図面にもとづいて、本願発明の１実施例を説明する。  図１は、防水層保護構造を示す一部断面側面図であり、
防水層の表面にタイルを敷設してなる防水層保護構造であって、図において、１は端縁部を構成する端縁タイル２と汎用タイル３の組み合わせからなり防水層上４に載置されるタイル盤であり、各タイルは防水層上４に後述の着脱自在手段ならびに緩衝手段を介して着脱自在に固定されている。
【００１１】
また、５は各タイルの貼設時に位置決めとなる桟木であり、防水層4上に各タイルの割付にしたがって固定されている。各タイルと防水層４の表面の間には通水路６，６．．が形成されるが、この通水路６は各タイル裏面に形成される後述の凹陥部と防水層４との間隙により構成されている。そして、各タイル相互も後述の着脱自在手段ならびに緩衝手段を介して互いに着脱自在に接合されている。  なお、図において、７は建造物のコンクリート下地を示している。
【００１２】
図2は、前記端縁タイル２を示す斜視図であり、この端縁タイル２は図1に示すタイル盤１の端縁を形成する方形状のタイルであり、その一端部（図で左方）は断面円弧状に形成する一方、これに対向する他端部には他のタイルとの係合部を形成し、この係合部は端部の上縁に形成した切欠き部２ａで構成されている。また、タイル２の裏面には凹陥部２ｂが形成されている。
【００１３】
図3は、前記汎用タイル３を示す斜視図であり、この汎用タイル３は前記端縁タイル２と同じく方形状に形成され、その対向する一対の端部の一方の上縁には突出部３ａが形成され、また他方端の上縁には切欠き部３ｂがそれぞれ形成されていて、前記突出部３ａは端縁タイル２の前記切欠き部２ａまたは汎用タイル３の前記切欠き部３ｂに係合するようになっている。  そして、各タイルの突出部と切欠き部との接合は、着脱自在手段ならびに緩衝手段を介してなされる。また、タイル３の裏面には凹陥部３ｃが形成されている。
【００１４】
そして、図1に示すように、各タイルが敷設されてそれらの凹陥部２ｂ、凹陥部３ｃがそれぞれ連結されて防水層４との間で通水路６が形成されることになる。
【００１５】
各タイルと防水層４との接合、および各タイル相互の接合は着脱自在手段ならびに緩衝手段を介してなされる。  この実施例では、下着脱自在手段ならびに緩衝手段は弾性接着剤で構成されている。この弾性接着剤は１液型でも２液型のいずれも使用しえるが、１液型は変成シリコン樹脂を主成分としており、２液型は主剤がエポキシ樹脂、硬化剤が変成シリコン樹脂からなっている。  
【００１６】
いずれの弾性接着剤も、外的振動・衝撃などの応力を吸収する、あるいは膨張・収縮などの熱歪を吸収する一方、接着界面への応力の集中を防止するとともに高い剥離接着強さを得られる。  したがって、各タイルと防水層の接合、および各タイル相互の接合に前記弾性接着剤を使用することにより、衝撃、振動に対して良好な緩和作用を発揮し、また太陽光等による熱歪耐性が得られ、さらには接合したタイルを容易に剥離してさらに原状に復帰させることができる。
【００１７】
図4は、端縁タイル２と汎用タイル３との接合ならびにこれらと防水層との接合作業を示す側面図である。端縁タイル２の裏面において凹陥部２ｂを除く部分に弾性接着剤を塗布して防水層表面の所定位置に圧着する。次いで、端縁タイル２の切欠き部２ａに着脱自在手段ならびに緩衝手段としての前記弾性接着剤をセットして汎用タイル３を矢符Ａ方向から押圧して汎用タイル３の突出部３ａと端縁タイル２の切欠き部２ａとを着脱自在手段ならびに緩衝手段としての前記弾性接着剤８を介して接合する。
【００１８】
同様の作業を順次繰り返して防水層上に所定の大きさのタイル盤を形成して防水層上に接合・剥離が極めて容易な保護層を構築する。  なお、各タイルによるタイル盤の組成は防水層上に所定の割付により固定される桟木を位置決めにして作業を進めることになる。
【００１９】
図５は他の実施例に係る端縁タイルを示す側面図で、端縁タイル２１は裏面３箇所に凹陥部２１ｂ、２１ｂ、２１ｂを具えており、一方の端部の上縁は断面円弧状に形成され、この端部に対向する他端部の上縁には切欠き部２１ａが形成されている。
【００２０】
図６は汎用タイルの他の実施例を示す側面図で、汎用タイル３１は裏面に３箇所の凹陥部３１ｃ、３１ｃ、３１ｃを具えており、一方の端部の上縁には突出部３１ａが形成され、この端部に対向する他端部の上縁には切欠き部３１ｃ、３１ｃ、３１ｃが形成されている。
この実施例に係る各タイルは凹陥部の数が異なるのみで他は前記のタイルと同様であるが、寸法の大きなタイルに適している。
【図面の簡単な説明】
【００２１】
【図１】本願発明の１実施例に係る防水層保護構造を示す一部断面側面図である。
【図２】図１に示す実施例に係る端縁タイルを示す斜視図である。
【図３】図１に示す実施例に係る汎用タイルを示す斜視図である。
【図４】端縁タイルと汎用タイルとの接合ならびにこれらと防水層との接合作業を示す側面図である。
【図５】他の実施例に係る端縁タイルを示す側面図である。
【図６】他の実施例に係る汎用タイルを示す側面図である。
【符号の説明】
【００２２】
１．．．．．．．．．．．．．．．保護構造
２．．．．．．．．．．．．．．．端縁タイル
３．．．．．．．．．．．．．．．汎用タイル
４．．．．．．．．．．．．．．．防水層
５．．．．．．．．．．．．．．．桟木
６．．．．．．．．．．．．．．．通水路
７．．．．．．．．．．．．．．．コンクリート下地
８．．．．．．．．．．．．．．．着脱自在手段ならびに緩衝手段（弾性接着剤）
【図１】
2007120192.tif 000003
【図２】
2007120192.tif 000004
【図３】
2007120192.tif 000005
【図４】
2007120192.tif 000006
【図５】
2007120192.tif 000007
【図６】
2007120192.tif 000008